(57)【要約】【課題】所定の衝撃が加わった場合に、その衝撃により内側クリップ部が外側クリップ部に対してスライド移動することを防止することができるクリップを提供すること。【解決手段】断面略コ字状の内側クリップ部２４が断面略コ字状の外側クリップ部１２の内側から前方に移動して内側クリップ部２４に挿入物Ｐが挿入され、挿入物Ｐを挿入した内側クリップ部２４が外側クリップ部１２の内側に移動し外側クリップ部１２に収納されることにより内側クリップ部２４が挿入物Ｐを挟持するクリップ１０において、内側クリップ部２４の外側クリップ１２への収納状態を固定するロック手段４０を備えた構成とした。【選択図】      図１
2004330437.tif 000002
【特許請求の範囲】
【請求項１】
断面略コ字状の内側クリップ部が断面略コ字状の外側クリップ部の内側から前方に移動して前記内側クリップ部に挿入物が挿入され、前記挿入物を挿入した内側クリップ部が前記外側クリップ部の内側に移動し前記外側クリップ部に収納されることにより前記内側クリップ部が前記挿入物を挟持するクリップにおいて、
前記内側クリップ部の前記外側クリップへの収納状態を固定するロック手段を備えたことを特徴するクリップ。
【請求項２】
第１背部と前記第１背部の両端からそれぞれ前方へ突出する一対の第１挟持片部とにより断面略コ字状に形成された外側クリップ部と、
第２背部と前記第２背部の両端からそれぞれ前方へ突出する一対の第２挟持片部とにより断面略コ字状に形成され、前記外側クリップ部に対してスライドして前記外側クリップ部の内側から前方へ突出し又は前記外側クリップ部の前方から内側に収納され、前記外側クリップ部に収納された状態で前記一対の第２挟持片部の間に挿入された挿入物を挟持する内側クリップ部と、
前記内側クリップ部の前記外側クリップ部への収納状態を固定するロック手段と、
を有することを特徴とするクリップ。
【請求項３】
前記ロック手段は、前記第１背部の外側面に沿ってスライドする操作部と、前記第１背部に形成されたスリットを貫通して前記外側クリップ部の内側に位置し前記操作部と共に前記第１背部の内側面に沿って移動する爪部と、で構成され、
前記爪部が前記第２背部上に移動して前記第２背部を前記第１背部側に押圧することにより前記内側クリップ部の前記外側クリップ部への収納状態を固定し、前記爪部が前記第２背部上から退くことにより前記内側クリップ部の収納状態の固定を解除することを特徴とする請求項２に記載のクリップ。
【請求項４】
前記ロック手段は、前記第１背部の外側面に沿ってスライドする操作部と、前記第１背部に形成されたスリットを貫通して前記外側クリップ部の内側に位置し前記操作部と共に前記第１背部の内側面に沿って移動する爪部と、で構成され、
前記爪部が前記第２背部に形成された固定片上に移動して前記固定片を前記第１背部側に押圧することにより前記内側クリップ部の前記外側クリップ部への収納状態を固定し、前記爪部が前記固定片上から退くことにより前記内側クリップ部の収納状態の固定を解除することを特徴とする請求項２に記載のクリップ。
【請求項５】
前記第１背部の内側面には前記内側クリップ部の収納状態において前記第２背部が進入する凹部が形成され、前記スリットは前記凹部に連通し、前記凹部の深さが前記爪部の厚みと前記第２背部の厚みとの総和以上に設定されていることを特徴とする請求項３に記載のクリップ。
【請求項６】
前記第１背部の内側面には前記内側クリップ部の収納状態において前記固定片が進入する凹部が形成され、前記スリットは前記凹部に連通し、前記凹部の深さが前記爪部の厚みと前記固定片の厚みとの総和以上に設定されていることを特徴とする請求項４に記載のクリップ。
【請求項７】
前記操作部を重力作用方向に対して反対方向に移動させることにより前記爪部が前記第２背部上又は前記固定片上に移動し、前記操作部を重力作用方向に移動させることにより前記第２背部上又は前記固定片上の前記爪部が前記第２背部上又は前記固定片上から退くことを特徴とする請求項３乃至６のいずれか１項に記載のクリップ。
【請求項８】
前記爪部の前記第２背部又は前記固定片と接触する面は、前記爪部の先端側に近づくにつれて前記第２背部又は前記固定片と離間する方向に傾斜していることを特徴とする請求項３乃至７のいずれか１項に記載のクリップ。
【請求項９】
前記外側クリップ部の内側には前記内側クリップ部が複数収納されており、
前記ロック手段は、複数ある前記内側クリップ部のうち少なくとも一つの前記内側クリップ部の収納状態を固定することを特徴とする請求項１乃至８のいずれか１項に記載のクリップ。
【請求項１０】
前記外側クリップ部の内側には前記内側クリップ部が複数収納されており、
前記ロック手段は、複数ある前記内側クリップ部のうち前記外側クリップ部の略中央領域にある前記内側クリップ部の収納状態を固定することを特徴とする請求項１乃至９のいずれか１項に記載のクリップ。
【請求項１１】
前記外側クリップ部の内側には単数の前記内側クリップ部が収納されており、
前記ロック手段は、単数の前記内側クリップ部の収納状態を固定することを特徴とする請求項１乃至８のいずれか１項に記載のクリップ。
【請求項１２】
前記内側クリップ部は、前記外側クリップ部の略中央領域に収納されていることを特徴とする請求項１１に記載のクリップ。
【発明の詳細な説明】
【０００１】
【発明の属する技術分野】
本発明は、書類等の端部を挟持するクリップに関する。
【０００２】
【従来の技術】
従来から書類等の端部を挟持するクリップがよく知られている。
例えば、図１１に示すクリップ１００は、外側クリップ部１０２を備えている。この外側クリップ部１０２は、背板１０４と、この背板１０４の上下両端からそれぞれ前方に突出した上板１０６及び下板１０８と、を備えており、全体の断面が略コ字状になるように形成されている。なお、上板１０６と下板１０８とは、それぞれの先端部に近づくにつれて上板１０６と下板１０８との離間距離が短くなるように、傾斜している。
【０００３】
また、外側クリップ１０２には、バネ部材として機能する内側クリップ１１０が収納されている。この内側クリップ１１０は、外側クリップ１０２の構成と同様に、背板１１２と、上板１１４と、下板１１６と、で構成されている。また、この内側クリップ部１１０は外側クリップ１０２に対してスライド可能に収納されており、書類Ｐ等を挟むときには内側クリップ部１１０が外側クリップ１０２の前方にスライドし、内側クリップ部１１０に書類Ｐを挟さみ込んだ後、内側クリップ部１１０を後方にスライドさせ外側クリップ部１０２の内部に収納させる。内側クリップ部１１０が外側クリップ部１０２の内部に収納されると、内側クリップ部１１０を構成する上板１１４と下板１１６とが外側クリップ部１０２を構成する上板１０６と下板１０８から押圧され、上板１１４及び下板１１６の離間距離が小さくなり、これにより書類Ｐを強固に保持することができる。
【０００４】
ところで、図１１（Ｂ）に示すように、上記クリップ１００では、内側クリップ部１１０を外側クリップ部１０２の内部に収納し、書類Ｐを強固に保持した状態で、外側クリップ部１０２を手に持って書類Ｐを振ると、その衝撃で内側クリップ部１１０が外側クリップ部１０２の前方（図１１中矢印Ｚ方向）にスライド移動し、書類Ｐが内側クリップ部１１０から抜け落ち周囲に散乱する問題があった。すなわち、従来のクリップ１００においては、内側クリップ部１１０の外側クリップ１０２に対するスライド移動をロックする機構がなく、クリップ１００に衝撃を加えると容易に内側クリップ部１１０が外側クリップ部１０２に対してスライド移動してしまう問題があった。
特に、クリップ１００が左右方向に長いタイプのものでは、外側クリップ部１０２を持って書類Ｐを振ってしまうことが多々有り、上記問題が顕著であった。
【０００５】
【特許文献１】
特開平９−１２３６５６号公報
【特許文献２】
特開平９−１１８０８８号公報
【特許文献３】
実開平３−２３４８５号公報
【特許文献４】
特開２００１−１２１８６３号公報
【特許文献５】
特開２００１−１０５７７３号公報
【０００６】
【発明が解決しようとする課題】
そこで、本発明は上記事情に鑑みて成されたものであり、所定の衝撃が加わった場合に、その衝撃により内側クリップ部が外側クリップ部に対してスライド移動することを防止することができるクリップを提供することを目的とする。
【０００７】
【課題を解決するための手段】
本発明は、上記課題を解決するため、以下の手段を採用する。
請求項１に記載の発明は、断面略コ字状の内側クリップ部が断面略コ字状の外側クリップ部の内側から前方に移動して前記内側クリップ部に挿入物が挿入され、前記挿入物を挿入した内側クリップ部が前記外側クリップ部の内側に移動し前記外側クリップ部に収納されることにより前記内側クリップ部が前記挿入物を挟持するクリップにおいて、前記内側クリップ部の前記外側クリップへの収納状態を固定するロック手段を備えたことを特徴する。
【０００８】
請求項１に記載の発明によれば、断面略コ字状の内側クリップ部が断面略コ字状の外側クリップ部の内側から前方に移動して内側クリップ部に挿入物が挿入され、挿入物が挿入された状態で、内側クリップ部が外側クリップ部の内側に収納される。内側クリップ部が外側クリップ部に収納されると、内側クリップ部が挿入物を挟持し、挿入物が綴じられる構成である。
ここで、ロック手段によって内側クリップ部の外側クリップへの収納状態を固定させると、外側クリップ部を持って振り回しても、内側クリップ部が外側クリップ部の内側から前方に移動することを防止できる。この結果、内側クリップに挟持された挿入物が内側クリップ部から抜け落ちることを防止できる。
【０００９】
請求項２に記載の発明は、第１背部と前記第１背部の両端からそれぞれ前方へ突出する一対の第１挟持片部とにより断面略コ字状に形成された外側クリップ部と、第２背部と前記第２背部の両端からそれぞれ前方へ突出する一対の第２挟持片部とにより断面略コ字状に形成され、前記外側クリップ部に対してスライドして前記外側クリップ部の内側から前方へ突出し又は前記外側クリップ部の前方から内側に収納され、前記外側クリップ部に収納された状態で前記一対の第２挟持片部の間に挿入された挿入物を挟持する内側クリップ部と、前記内側クリップ部の前記外側クリップ部への収納状態を固定するロック手段と、を有することを特徴とする。
【００１０】
請求項２に記載の発明によれば、内側クリップ部が外側クリップ部に対してスライドし外側クリップ部の内側から前方へ突出した状態で、内側クリップ部を構成する一対の第２挟持片部の間に挿入物が挿入される。挿入物が挿入された状態で内側クリップ部がスライドし外側クリップ部の前方から内側に収納される。
このとき、内側クリップ部が外側クリップ部の内側に収納されると、一対の第２挟持片部により挿入物が挟持される。これにより、挿入物が強固にクリップに綴じられる。
ここで、クリップにはロック手段が設けられているため、内側クリップ部を外側クリップ部の内側に収納させロック手段でこの収納状態を固定させると、外側クリップ部を持って振り回した場合でも、内側クリップ部が外側クリップ部の前方へスライド移動し挿入物が抜け落ちることを防止できる。
【００１１】
請求項３に記載の発明は、請求項２に記載のクリップにおいて、前記ロック手段は、前記第１背部の外側面に沿ってスライドする操作部と、前記第１背部に形成されたスリットを貫通して前記外側クリップ部の内側に位置し前記操作部と共に前記第１背部の内側面に沿って移動する爪部と、で構成され、前記爪部が前記第２背部上に移動して前記第２背部を前記第１背部側に押圧することにより前記内側クリップ部の前記外側クリップ部への収納状態を固定し、前記爪部が前記第２背部上から退くことにより前記内側クリップ部の収納状態の固定を解除することを特徴とする。
【００１２】
請求項３に記載の発明によれば、内側クリップ部が外側クリップ部の内側に収納された状態で、操作部を第１背部の外側面に沿ってスライドさせると爪部が操作部とともに第１背部の内側面に沿って移動する。そして、やがて爪部が内側クリップ部の第２背部上に移動しこの第２背部を第１背部側に押圧させる。このように、爪部の押圧力で内側クリップ部が外側クリップ部に対して固定されるため、内側クリップ部の外側クリップ部への収納状態の固定が可能となる。
一方、操作部を逆方向にスライドさせることにより爪部が第２背部上から退くため、内側クリップ部の収納状態の固定が解除される。
【００１３】
請求項４に記載の発明は、請求項２に記載のクリップにおいて、前記ロック手段は、前記第１背部の外側面に沿ってスライドする操作部と、前記第１背部に形成されたスリットを貫通して前記外側クリップ部の内側に位置し前記操作部と共に前記第１背部の内側面に沿って移動する爪部と、で構成され、前記爪部が前記第２背部に形成された固定片上に移動して前記固定片を前記第１背部側に押圧することにより前記内側クリップ部の前記外側クリップ部への収納状態を固定し、前記爪部が前記固定片上から退くことにより前記内側クリップ部の収納状態の固定を解除することを特徴とする。
【００１４】
請求項４に記載の発明によれば、内側クリップ部が外側クリップ部の内側に収納された状態で、操作部を第１背部の外側面に沿ってスライドさせると爪部が操作部とともに第１背部の内側面に沿って移動する。そして、やがて爪部が内側クリップ部の固定片上に移動しこの固定片を第１背部側に押圧させる。このように、爪部の押圧力で内側クリップ部が外側クリップ部に対して固定されるため、内側クリップ部の外側クリップ部への収納状態の固定が可能となる。
一方、操作部を逆方向にスライドさせることにより爪部が固定片上から退くため、内側クリップ部の収納状態の固定が解除される。
【００１５】
請求項５に記載の発明は、請求項３に記載のクリップにおいて、前記第１背部の内側面には前記内側クリップ部の収納状態において前記第２背部が進入する凹部が形成され、前記スリットは前記凹部に連通し、前記凹部の深さが前記爪部の厚みと前記第２背部の厚みとの総和以上に設定されていることを特徴とする。
【００１６】
請求項５に記載の発明によれば、挿入物が挿入された内側クリップ部が外側クリップ部の内側に収納されると、第２背部が第１背部の内側面に形成された凹部に進入する。このとき、凹部の深さが爪部の厚みと第２背部の厚みとの総和以上に設定されているため、内側クリップ部が外側クリップ部の内側に収納されると挿入物と第２背部との間に所定の隙間が生じる。このため、この隙間を爪部が進入するスペースとして利用することができる。この結果、爪部が第２背部に進入する際に、爪部と挿入物とが干渉することを防止できる。
【００１７】
請求項６に記載の発明は、請求項４に記載のクリップにおいて、前記第１背部の内側面には前記内側クリップ部の収納状態において前記固定片が進入する凹部が形成され、前記スリットは前記凹部に連通し、前記凹部の深さが前記爪部の厚みと前記固定片の厚みとの総和以上に設定されていることを特徴とする。
【００１８】
請求項６に記載の発明によれば、挿入物が挿入された内側クリップ部が外側クリップ部の内側に収納されると、固定片が第１背部の内側面に形成された凹部に進入する。このとき、凹部の深さが爪部の厚みと固定片の厚みとの総和以上に設定されているため、内側クリップ部が外側クリップ部の内側に収納されると挿入物と固定片との間に所定の隙間が生じる。このため、この隙間を爪部が進入するスペースとして利用することができる。この結果、爪部が固定片に進入する際に、爪部と挿入物とが干渉することを防止できる。
【００１９】
請求項７に記載の発明は、請求項３乃至５のいずれか１項に記載のクリップにおいて、前記操作部を重力作用方向に対して反対方向に移動させることにより前記爪部が前記第２背部上又は前記固定片上に移動し、前記操作部を重力作用方向に移動させることにより前記第２背部上又は前記固定片上の前記爪部が前記第２背部上又は前記固定片上から退くことを特徴とする。
【００２０】
請求項７に記載の発明によれば、操作部を重力作用方向に対して反対方向に移動させることにより爪部が第２背部上又は固定片上に移動し、操作部を重力作用方向に移動させることにより第２背部上又は固定片上の爪部が第２背部上又は固定片上から退くように設定することにより、常時、操作部はその重力により内側クリップ部の収納状態の固定を解除する位置にあり、内側クリップ部の収納状態を固定するときには重力作用方向に対して反対方向に操作部が押し上げられる。このため、内側クリップ部を外側クリップ部の内側に収納後、操作部を押し上げるだけで容易に内側クリップ部の収納状態を固定することができる。また、誤って内側クリップ部を外側クリップ部の内側に収納していないまま操作部を押し上げたとしても収納状態を固定できない構成となっている。以上のように設定することにより、クリップの操作性あるいは使い勝手を向上させることができる。
【００２１】
請求項８に記載の発明は、請求項３乃至７のいずれか１項に記載のクリップにおいて、前記爪部の前記第２背部又は前記固定片と接触する面は、前記爪部の先端側に近づくにつれて前記第２背部又は前記固定片と離間する方向に傾斜していることを特徴とする。
【００２２】
請求項８に記載の発明によれば、爪部の第２背部又は固定片と接触する面は、爪部の先端側に近づくにつれて第２背部又は固定片と離間する方向に傾斜しているため、操作部と爪部との離間距離をできるだけ小さく設定した場合でも、爪部が第２背部上又は固定片上に移動することができる。また、同時に、爪部から第２背部又は固定片に作用する押圧力を、操作部を押し上げる動作に伴い徐々に大きくすることができ、内側クリップ部の収納状態をより強固に固定することができる。
【００２３】
請求項９に記載の発明は、請求項１乃至８のいずれか１項に記載のクリップにおいて、前記外側クリップ部の内側には前記内側クリップ部が複数収納されており、前記ロック手段は、複数ある前記内側クリップ部のうち少なくとも一つの前記内側クリップ部の収納状態を固定することを特徴とする。
【００２４】
請求項９に記載の発明によれば、外側クリップ部の内側には内側クリップ部が複数収納されており、複数ある内側クリップ部のうち少なくとも一つの内側クリップ部の収納状態を固定することにより、内側クリップ部の収納状態を固定させることができるとともに、ロック手段の数量を最小限とすることにより製造コストも低減することができる。
【００２５】
請求項１０に記載の発明は、請求項１乃至９のいずれか１項に記載のクリップにおいて、前記外側クリップ部の内側には前記内側クリップ部が複数収納されており、前記ロック手段は、複数ある前記内側クリップ部のうち前記外側クリップ部の略中央領域にある前記内側クリップ部の収納状態を固定することを特徴とする。
【００２６】
請求項１０に記載の発明によれば、ロック手段により複数ある内側クリップ部のうち外側クリップ部の略中央領域にある内側クリップ部の収納状態を固定することにより、最小限のロック手段により内側クリップ部の固定度を安定させることができる。
【００２７】
請求項１１に記載の発明は、請求項１乃至８のいずれか１項に記載のクリップにおいて、前記外側クリップ部の内側には単数の前記内側クリップ部が収納されており、前記ロック手段は、単数の前記内側クリップ部の収納状態を固定することを特徴とする。
【００２８】
請求項１１に記載の発明によれば、外側クリップ部の内側に収納された単数の内側クリップ部の収納状態をロック手段で固定することにより内側クリップ部の収納状態を確実に固定することができるとともに、内側クリップ部を単数とすることにより低コストを実現することができる。
【００２９】
請求項１２に記載の発明は、請求項１１に記載のクリップにおいて、前記内側クリップ部は、前記外側クリップ部の略中央領域に収納されていることを特徴とする。
【００３０】
請求項１２に記載の発明によれば、外側クリップ部の略中央領域に多数の内側クリップ部の収納することにより、挿入物が前方に引っ張られた場合に内側クリップ部に作用するモーメントが小さくなる。この内側クリップ部の収納状態をロック手段で固定することにより、最小限のロック手段により内側クリップ部の収納状態の固定度を安定させることができる。
【００３１】
【発明の実施の形態】
次に、本発明の第１実施形態に係るクリップについて、図面を参照して説明する。
【００３２】
図１及び図３に示すように、本実施形態のクリップ１０は、外側クリップ部１２を備えている。この外側クリップ部１２は、長方形状の第１背部１４と、第１背部１４の長手方向に沿った両端部から前方に突出した第１右側挟持片部１６と、第１左側挟持片部１８とで構成されており、これらは断面略コ字状となるように樹脂により一体形成されている。また、第１右側挟持片部１６と第１左側挟持片部１８とは、それぞれの先端部側に近づくにつれて離間距離が短くなるように傾斜している。
なお、第１背部１４は長方形状に形成されており、また第１右側挟持片部１６及び第１左側挟持片部１８は第１背部１４の長手方向に沿った両端部に接続されているため、書類Ｐを綴じるときに書類Ｐの端部全体を覆うようになっている。
【００３３】
また、第１背部１４の外側面には収納溝２０が第１背部１４の長手方向に沿って形成されており、さらにこの収納溝２０の底面にはスリット２２が形成されている。このスリット２２は外側クリップ部１２の第１背部１４を貫通している。この収納溝２０には、後述するロック部材４０が装着されている。
【００３４】
一方、図３乃至図５に示すように、外側クリップ部１２の内側には、３つの内側クリップ部２４が収納されている。この内側クリップ部２４は、長方形状の第２背部２６と、第２背部２６の長手方向に沿った両端部から前方に突出した第２右側挟持片部２８と、第２左側挟持片部３０とで構成されており、これらは例えば金属製で構成されており断面略コ字状となるように形成されている。
【００３５】
また、第２右側挟持片部２８及び第２左側挟持片部３０には、内側クリップ部２４の突出方向（図４及び図５中矢印Ａ方向）に沿って延びた２本のガイド孔３２、３２がそれぞれ形成されている。このガイド孔３２、３２には、外側クリップ部１２の第１右側挟持片部１６及び第１左側挟持片部１８の内面に形成された突起部３４がそれぞれ挿入されており、内側クリップ部２４の突出方向の位置決めがされている。
【００３６】
さらに、第２右側挟持片部２８及び第２左側挟持片部３０には、それぞれの先端部が内側に折り曲げられた折曲部３６、３８が形成されており、各折曲部３６、３８の間に書類Ｐが挟まれるようになっている。
なお、第２右側挟持片部２８及び第２左側挟持片部３０の各折曲部３６、３８は、それぞれの先端部に近づくにつれて折曲部３６、３８同士の離間距離が短くなるように傾斜して形成されている。
また、第２右側挟持片部２８及び第２左側挟持片部３０は、先端部に近づくにつれて相互の離間距離が長くなるように傾斜しており、内側クリップ部２４が外側クリップ部１２の内側に収納されたときに、第２右側挟持片部２８及び第２左側挟持片部３０が第１右側挟持片部１６及び第１左側挟持片部１８により押圧されて弾性変形することにより、第２右側挟持片部２８と第２左側挟持片部３０との相互の離間距離が縮まり、第２右側挟持片部２８及び第２左側挟持片部３０の折曲部３６、３８の間に挿入された書類Ｐを挟持するようになっている。
【００３７】
なお、本実施形態では、３つの内側クリップ部２４が収納されている形態について説明したが、勿論３つに限られるものではなく、適宜その数を増減させることも可能である。
【００３８】
また、図４及び図５に示すように、外側クリップ部１２の第１背部１４に形成された収納溝２０には、中央の内側クリップ部２４の収納状態を固定するためのロック部材４０が装着されている。このロック部材４０は、第１背部１４の外側面Ｍに形成された収納溝２０をスライドする操作部４２と、この操作部４２に接続されスリット２２を貫通して第１背部１４の内側面Ｎ側に位置する爪部４４とで構成されている。この爪部４４は、第２背部２６の上面に移動する爪部本体４４Ａと爪部本体４４Ａと操作部４２とを接続するとともにスリット２２を貫通する支持部４４Ｂとで構成されており、全体として断面Ｌ字状となるように形成されている。
【００３９】
ここで、爪部本体４４Ａの幅寸法はスリット２２の幅寸法よりも大きくなるように設定されており、ロック部材４０がスリット２２から抜けないようになっている。また、支持部４４Ｂの高さＨは、爪部本体４４Ａが第２背部上に位置したときに第２背部２６を第１背部側に押圧できるような高さに設定されており、具体的には第２背部２６の厚み寸法とスリット２２の厚み寸法との総和よりも若干小さめの寸法に設定されている。
さらに、爪部本体４４Ａの第２背部２６と接触する接触面Ｓは、先端部に近づくにつれて第２背部２６と離間するように傾斜している。
【００４０】
なお、本実施形態では、中央側の内側クリップ部２４の収納状態を固定するためのロック部材４０を備えた形態について説明しているが、勿論これに限られることはなく、３つの内側クリップ部２４の全ての収納状態を固定するように３つのロック部材４０を設けてもよい。
【００４１】
次に、本実施形態のクリップ１０の作用について詳細に説明する。
【００４２】
図１乃至図３に示すように、表紙Ｃに複数枚からなる書類Ｐが挟まれ、この表紙Ｃの端部が予め外側クリップ部１２の前方に突出した内側クリップ部２４の第２右側挟持片部２８の折曲部３６と第２左側挟持片部３０の折曲部３８との間に挿入される。
【００４３】
図３に示すように、表紙Ｃの端部が各折曲部３６、３８の間に挿入された状態で各内側クリップ部２４が外側クリップ１２の内側に収納される。このとき、内側クリップ部２４は、突起部３４、３４がガイド孔３２、３２に挿入されているため、このガイド孔３２、３２に沿って外側クリップ部１２の内側に収納される。このようにガイド孔３２、３２に沿って収納されることにより、内側クリップ部２４が外側クリップ部１２に対して位置ズレすることがない。この収納状態では、第２背部２６が第１背部１４に接触した状態となっている。
また、収納時には、第２右側挟持片部２８と第２左側挟持片部３０には第１右側挟持片部１６と第１左側挟持片部１８から押圧力が作用するため、第２右側挟持片部２８と第２左側挟持片部３０との離間距離が短くなり、第２右側挟持片部２８と第２左側挟持片部３０とが相対的に近づくことになる。この結果、各折曲部３６、３８も相対的に近づくため、各折曲部３６、３８の間に挿入された書類Ｐが各折曲部３６、３８から押圧され挟持される。以上のようにして、書類Ｐが綴じられる。
【００４４】
ここで、図４及び図５に示すように、内側クリップ部２４の外側クリップ部１２の内側への収納が終了すると、操作部４２が重力作用方向（図４及び図５中矢印Ｇ方向）に対して反対方向（反重力方向、図４及び図５中矢印Ｉ方向）にスライドさせる。操作部４２のスライドにより、爪部４４も反重力方向に移動し、爪部本体４４Ａが第２背部２６の上面に載り上がる。ここで、支持部４４Ｂの高さが比較的低く設定されていても、爪部本体４４Ａの第２背部２６との接触面が第２背部２６と離間する方向に傾斜しているため、爪部本体４４Ａを容易に第２背部２６の上面に移動させることができる。このとき、支持部４４Ｂの高さが比較的低く設定されているので爪部本体４４Ａから第２背部２６に比較的大きな押圧力が作用しており、第２背部２６は第１背部１４に比較的大きな力で押し付けられている。これにより、ロック部材４０のロックが完了し、内側クリップ部２４の収納状態が強固に固定される。かかるロック状態では、たとえ外側クリップ部１２を手に持って書類を振り回しても、内側クリップ部２４が外側クリップ部１２の前方にスライドして突出することを極力防止できるため、綴じられた書類が内側クリップ部２４から抜け落ち周囲に散乱することを防止できる。
【００４５】
一方、図４に示すように、ロック部材４０によるロックを解除するときには、操作部４２を重力作用方向（図４及び図５中矢印Ｉ方向）に押し下げる。これにより、爪部本体４４Ａが第２背部２６の上面から退き、ロック部材４０によるロックが解除される。
【００４６】
また、図１及び図２に示すように、クリップ１０では、操作部４２を反重力作用方向側にスライドさせることによりロック状態になり、重力方向側にスライドさせることによりそのロックが解除されるように設定されている。このため、書類を挿入し内側クリップ部２４を外側クリップ部１２の内部に収納するときには、ロック部材４０はその自重により常にロック解除位置（ＯＰＥＮの位置）に位置しているため、内側クリップ部２４を外側クリップ部１２の内側に収納させた状態で操作部４２を押し上げることにより容易にロックすることができる。
【００４７】
さらに、外側クリップ部１２の略中央に位置する内側クリップ部２４をロック部材４０によりロックすることにより、内側クリップ部２４の固定度を安定させることができる。すなわち、外側クリップ部１２の端部側に位置する内側クリップ部２４をロックする場合には、衝撃力によっては他の２つの内側クリップ部２４が容易に外側クリップ部１２の前方に突出してしまい用紙Ｐがこの前方に突出した２つの内側クリップから抜けてしまう恐れがあるが、外側クリップ部１２の略中央に位置する内側クリップ部２４をロック部材４０によりロックすることにより、端部側に位置する２つの内側クリップ部２４が容易に外側クリップ部１２の前方に突出することがなく、内側クリップ部２４の固定度を安定させることができる。この結果、内側クリップ部２４により用紙Ｐを確実に保持することができる。
【００４８】
なお、ロック部材４０を構成する支持部４４Ｂの一部に球状部（図示省略）を形成し、爪部本体４４Ａが第２背部２６の上面に位置したときに球状部が入り込む円溝（図示省略）をスリット２２の内周面に形成してもよい。これにより、ロック部材４０によりロックしたときに操作部４２を介してその感覚が手に伝わり、ロックの完了を直ちに判断することができる。
【００４９】
次に、本発明の第２実施形態に係るクリップについて詳細に説明する。
なお、第１実施形態に係るクリップ１０と同様の構成には同符号を付し、適宜その説明を省略する。
【００５０】
図６乃至図８に示すように、本実施形態のクリップ５０は、外側クリップ部１２の第１背部１４の内側面Ｎに凹部状溝５２が形成されている。この凹部状溝５２には内側クリップ部２４の収納状態において内側クリップ部２４の第２背部２６が進入し、凹部状溝５２の底面と第２背部２６とが面接するようになっている。また、この凹部状溝５２の底面の一部には上記したスリット２２が貫通している。このように、本実施形態のクリップ５０では、スリット２２が収納溝２０の底面と凹部状溝５２の底面を貫通するように形成されている。
【００５１】
ここで、図７及び図８に示すように、凹部状溝５２の深さＤが爪部本体４４Ａの厚みと第２背部２６の厚みとの総和以上に設定されているため、内側クリップ部２４が外側クリップ部１２の内側に収納されて第２背部２６が凹部状溝５２の底面に接触した状態において、爪部本体４４Ａが第２背部２６の上に移動しても、爪部本体４４Ａが第１背部１４の内側面Ｎから突出することがない。一方、外側クリップ部１２の内側に内側クリップ部２４が収納された状態において、内側クリップ部２４に挟持された用紙Ｐの端部は第１背部１４の内側面Ｎ上よりも前方側に位置することになり、爪部本体４４Ａと用紙Ｐとが干渉することがない。このため、内側クリップ部２４の収納状態を固定するときに、ロック部材４０を円滑に移動させることができ、爪部本体４４Ａとの接触により書類Ｐに皺や折り目を付けてしまうという問題を解消できる。
【００５２】
次に、本発明の第３実施形態に係るクリップについて詳細に説明する。
なお、第１実施形態に係るクリップ１０と同様の構成には同符号を付し、適宜その説明を省略する。
【００５３】
図９及び図１０に示すように、本実施形態のクリップ７０は、内側クリップ部２４の第２背部２６に爪部本体４４Ａが面接する固定片７２が形成されている。この固定片７２は、第２背部２６と同一面上に形成されておらず、段差を設けて一段下げられた位置に形成されている。また、この固定片７２と接触する外側クリップ部１２の第１背部１４の内側面Ｎには、この固定片７２が入り込む逃がし溝７４が形成されている。この逃がし溝７４の深さは、固定片７２の厚み寸法と爪部本体４４Ａの厚み寸法の総和以上の寸法に設定されている。
なお、逃がし溝７４は、爪部本体４４Ａが円滑に固定片７２上に移動できるように、スリット２２の開口縁に連続するように形成されている。
【００５４】
図９及び図１０に示すように、本実施形態のクリップ７０においても、爪部本体４４Ａと用紙Ｐが干渉することがなく、内側クリップ部２４の収納状態を固定するときに、ロック部材４０を円滑に移動させることができ、爪部本体４４Ａとの接触により書類Ｐに皺や折り目を付けてしまうという問題を解消できる。
【００５５】
以上、本発明の各実施形態について説明したが、各部の具体的な構成はこれらに限られるものではなく、本発明の趣旨を逸脱しない範囲で種々変形が可能である。例えば、内側クリップ部２４は、樹脂で構成されることも可能であり、材質を特に限定するものではない。また、外側クリップ部１２についても材質は特に制限されない。
【００５６】
【発明の効果】
以上説明した本発明のクリップにおいては、以下の効果を奏する。
請求項１記載の発明は、断面略コ字状の内側クリップ部が断面略コ字状の外側クリップ部の内側から前方に移動して内側クリップ部に挿入物が挿入され、挿入物が挿入された状態で、内側クリップ部が外側クリップ部の内側に収納される。内側クリップ部が外側クリップ部に収納されると、内側クリップ部が挿入物を挟持し、挿入物が綴じられる構成である。
ここで、ロック手段によって内側クリップ部の外側クリップへの収納状態を固定させると、外側クリップ部を持って振り回しても、内側クリップ部が外側クリップ部の内側から前方に移動することを防止できる。この結果、内側クリップに挟持された挿入物が内側クリップ部から抜け落ちることを防止できる。
【００５７】
請求項２記載の発明は、内側クリップ部が外側クリップ部に対してスライドし外側クリップ部の内側から前方へ突出した状態で、内側クリップ部を構成する一対の第２挟持片部の間に挿入物が挿入される。挿入物が挿入された状態で内側クリップ部がスライドし外側クリップ部の前方から内側に収納される。
このとき、内側クリップ部が外側クリップ部の内側に収納されると、一対の第２挟持片部により挿入物が挟持される。これにより、挿入物が強固にクリップに綴じられる。
ここで、クリップにはロック手段が設けられているため、内側クリップ部を外側クリップ部の内側に収納させロック手段でこの収納状態を固定させると、外側クリップ部を持って振り回した場合でも、内側クリップ部が外側クリップ部の前方へスライド移動し挿入物が抜け落ちることを防止できる。
【００５８】
請求項３記載の発明は、内側クリップ部が外側クリップ部の内側に収納された状態で、操作部を第１背部の外側面に沿ってスライドさせると爪部が操作部とともに第１背部の内側面に沿って移動する。そして、やがて爪部が内側クリップ部の第２背部上に移動しこの第２背部を第１背部側に押圧させる。このように、爪部の押圧力で内側クリップ部が外側クリップ部に対して固定されるため、内側クリップ部の外側クリップ部への収納状態の固定が可能となる。
一方、操作部を逆方向にスライドさせることにより爪部が第２背部上から退くため、内側クリップ部の収納状態の固定が解除される。
【００５９】
請求項４記載の発明は、内側クリップ部が外側クリップ部の内側に収納された状態で、操作部を第１背部の外側面に沿ってスライドさせると爪部が操作部とともに第１背部の内側面に沿って移動する。そして、やがて爪部が内側クリップ部の固定片上に移動しこの固定片を第１背部側に押圧させる。このように、爪部の押圧力で内側クリップ部が外側クリップ部に対して固定されるため、内側クリップ部の外側クリップ部への収納状態の固定が可能となる。
一方、操作部を逆方向にスライドさせることにより爪部が固定片上から退くため、内側クリップ部の収納状態の固定が解除される。
【００６０】
請求項５記載の発明は、挿入物が挿入された内側クリップ部が外側クリップ部の内側に収納されると、第２背部が第１背部の内側面に形成された凹部に進入する。このとき、凹部の深さが爪部の厚みと第２背部の厚みとの総和以上に設定されているため、内側クリップ部が外側クリップ部の内側に収納されると挿入物と第２背部との間に所定の隙間が生じる。このため、この隙間を爪部が進入するスペースとして利用することができる。この結果、爪部が第２背部に進入する際に、爪部と挿入物とが干渉することを防止できる。
【００６１】
請求項６記載の発明は、挿入物が挿入された内側クリップ部が外側クリップ部の内側に収納されると、固定片が第１背部の内側面に形成された凹部に進入する。このとき、凹部の深さが爪部の厚みと固定片の厚みとの総和以上に設定されているため、内側クリップ部が外側クリップ部の内側に収納されると挿入物と固定片との間に所定の隙間が生じる。このため、この隙間を爪部が進入するスペースとして利用することができる。この結果、爪部が固定片に進入する際に、爪部と挿入物とが干渉することを防止できる。
【００６２】
請求項７記載の発明は、操作部を重力作用方向に対して反対方向に移動させることにより爪部が第２背部上又は固定片上に移動し、操作部を重力作用方向に移動させることにより第２背部上又は固定片上の爪部が第２背部上又は固定片上から退くように設定することにより、常時、操作部はその重力により内側クリップ部の収納状態の固定を解除する位置にあり、内側クリップ部の収納状態を固定するときには重力作用方向に対して反対方向に操作部が押し上げられる。このため、内側クリップ部を外側クリップ部の内側に収納後、操作部を押し上げるだけで容易に内側クリップ部の収納状態を固定することができる。また、誤って内側クリップ部を外側クリップ部の内側に収納していないまま操作部を押し上げたとしても収納状態を固定できない構成となっている。以上のように設定することにより、クリップの操作性あるいは使い勝手を向上させることができる。
【００６３】
請求項８記載の発明は、爪部の第２背部又は固定片と接触する面は、爪部の先端側に近づくにつれて第２背部又は固定片と離間する方向に傾斜しているため、操作部と爪部との離間距離をできるだけ小さく設定した場合でも、爪部が第２背部上又は固定片上に移動することができる。また、同時に、爪部から第２背部又は固定片に作用する押圧力を、操作部を押し上げる動作に伴い徐々に大きくすることができ、内側クリップ部の収納状態をより強固に固定することができる。
【００６４】
請求項９記載の発明は、外側クリップ部の内側には内側クリップ部が複数収納されており、複数ある内側クリップ部のうち少なくとも一つの内側クリップ部の収納状態を固定することにより、内側クリップ部の収納状態を固定させることができるとともに、ロック手段の数量を最小限とすることにより製造コストも低減することができる。
【００６５】
請求項１０記載の発明は、ロック手段により複数ある内側クリップ部のうち外側クリップ部の略中央領域にある内側クリップ部の収納状態を固定することにより、最小限のロック手段により内側クリップ部の固定度を安定させることができる。
【００６６】
請求項１１記載の発明は、外側クリップ部の内側に収納された単数の内側クリップ部の収納状態をロック手段で固定することにより内側クリップ部の収納状態を確実に固定することができるとともに、内側クリップ部を単数とすることにより低コストを実現することができる。
【００６７】
請求項１２記載の発明は、外側クリップ部の略中央領域に多数の内側クリップ部の収納することにより、挿入物が前方に引っ張られた場合に内側クリップ部に作用するモーメントが小さくなる。この内側クリップ部の収納状態をロック手段で固定することにより、最小限のロック手段により内側クリップ部の収納状態の固定度を安定させることができる。
【図面の簡単な説明】
【図１】本発明のクリップにより書類が綴じられる状態の斜視図である。
【図２】本発明のクリップにより書類が綴じられた後の状態の斜視図である。
【図３】本発明の第１実施形態のクリップが書類を綴じた状態を示した要部断面図である。
【図４】本発明の第１実施形態のクリップを構成するロック手段によるロック状態を示した部分的な断面図である。
【図５】本発明の第１実施形態のクリップを構成するロック手段によるロックが解除された状態を示した部分的な断面図である。
【図６】本発明の第２実施形態のクリップが書類を綴じた状態を示した要部断面図である。
【図７】本発明の第２実施形態のクリップを構成するロック手段によるロック状態を示した部分的な断面図である。
【図８】本発明の第２実施形態のクリップを構成するロック手段によるロックが解除された状態を示した部分的な断面図である。
【図９】本発明の第３実施形態のクリップを構成するロック手段によるロック状態を示した部分的な断面図である。
【図１０】本発明の第３実施形態のクリップを構成するロック手段によるロックが解除された状態を示した部分的な断面図である。
【図１１】従来のクリップの作用図である。
【符号の説明】
１０  クリップ
１２  外側クリップ部
１４  第１背部
１６  第１右側挟持片部（第１挟持片部）
１８  第１左側挟持片部（第１挟持片部）
２４  内側クリップ部
２６  第２背部
２８  第２右側挟持片部（第２挟持片部）
３０  第２左側挟持片部（第２挟持片部）
４０  ロック部材（ロック手段）
４２  操作部
４４  爪部
５２  凹部状溝（凹部）
７２  固定片
７４  逃がし溝（凹部）
【図１】
2004330437.tif 000003
【図２】
2004330437.tif 000004
【図３】
2004330437.tif 000005
【図４】
2004330437.tif 000006
【図５】
2004330437.tif 000007
【図６】
2004330437.tif 000008
【図７】
2004330437.tif 000009
【図８】
2004330437.tif 000010
【図９】
2004330437.tif 000011
【図１０】
2004330437.tif 000012
【図１１】
2004330437.tif 000013